(57)【要約】【課題】      従来のジグヘッドとほとんど変わらない大きさであるにもかかわらず、何らの技量をも必要とせず、軟質ルアーに対して複雑な動きを与えることが可能なジグヘッドを提供する。【解決手段】  錘部12の重心Gを釣糸結束部14の中心を通る鉛直線Pと鈎部16における軸16aの軸心線Cとを含む仮想平面から離間した位置に設けると共に、前記仮想平面を介して重心Gと反対側の錘部12の側部に、流体抵抗を増大させる受水部18を設ける。これにより、ジグヘッド10に対して断続的に引張応力を加えると、疑似餌が上下方向に揺動すると同時に、釣糸結束部14を支点として左右に揺動するようになる。したがってジグヘッド10を不自然に大きくすることなく、また、何らの技量をも必要とせず、疑似餌により複雑な動きを与え、釣りの対象となる魚に対して疑似餌に興味を持たせることができる。【選択図】    図１
2006067885.tif 000002
【特許請求の範囲】
【請求項１】
比重の大きな材料からなる錘部と、前記錘部上方に取り付けられた釣糸結束部と、軸の先端が前記錘部の後方に埋設された鈎部とで構成されたジグヘッドであって、
前記錘部の重心が、前記釣糸結束部の中心を通る鉛直線と前記鈎部における軸の軸心線とを含む仮想平面から離間した位置に設けられると共に、
前記仮想平面を介して前記重心と反対側の前記錘部の側部に、流体抵抗を増大させる受水部が設けられていることを特徴とするジグヘッド。
【発明の詳細な説明】
【技術分野】
【０００１】
本発明は、軟弾性樹脂やゴム等の軟質素材で形成した軟質ルアーを装着してルアー釣りに使用するジグヘッドに関する。
【背景技術】
【０００２】
釣り用の疑似餌には種々のものがあるが、その中で酢酸ビニル系やゴム系の軟質素材からなり、ミミズやゴカイなどに似せた軟質ルアー(いわゆるワームなど)が知られている。この軟質ルアーはジグヘッドに取り付けられて疑似餌として用いられる。
【０００３】
図７は従来のジグヘッド(1)を示した図である。このジグヘッド(1)は、大略、鉛合金などからなる略球状の錘部(2)と、この錘部(2)上方に取り付けられた釣糸結束部(3)と、軸の先端が錘部(2)後方に埋設された鈎部(4)とで構成されている。
【０００４】
このジグヘッド(1)を使用する際には、釣竿に取着したリール(図示せず)から引き延ばしたライン(釣糸)(5)の先端を釣糸結束部(3)に結束し、鈎部(4)に軟質ルアー(6)を取り付ける。そして、これをキャストして所定のポイントに投入した後、「シェイキング」を行ないルアー(6)に動きを与える。この「シェイキング」とは、釣竿を小刻みに振り、水中の軟質ルアー(6)を微妙に震わせることである。
【０００５】
ここで、従来のジグヘッド(1)は、釣糸結束部(3)の中心を通る鉛直線(3a)と鈎部(4)における軸の軸心線(4a)とを含む仮想平面に対して錘部(2)が左右対称となるよう設計されている。つまり、錘部(2)の重心が釣糸結束部(3)の中心を通る鉛直線(3a)と鈎部(4) における軸の軸心線(4a)とを含む仮想平面上に位置するようになっている。これは軟質ルアー(6)を直線運動させる上で重要な要素である。
【０００６】
しかしながら、かかる従来のジグヘッド(1)では、「シェイキング」を行った際、水中の軟質ルアー(6)の動きはその先端が上下に揺動するだけの単調なものとなる。このため、軟質ルアー(6)を使用する釣り人の人口が増えてくると、釣りの対象となる魚が疑似餌であることを見破るようになり、釣果が上がらなくなる。
【０００７】
そこで、軟質ルアー(6)に複雑な動きを与えるべく、図８に示すように、錘部(2)の周囲をくるむように配された頭部(7)と、該頭部(7)の上部から略上方に向けて突出した鈎部(4)と、該頭部(7)の進行方向前方に設けられた釣糸結束部(3)と、該頭部(7)の上部から進行方向後方側に延出されてなるリップ部(7a)と、該リップ部(7a)に対して角度を有して設けられた整流板としてのキール部(7b)とを備え、前記リップ部(7a)の下面に水流を受けるための凹面部(8)を形成したジグヘッド(9)が提案されている（例えば、特許文献１参照。）。
【０００８】
かかるジグヘッド(9)を水中で使用すると、水流がリップ部(7a)下面の凹面部(8)に流れ込み、ジグヘッド(9)はこの水流により力を受けて進行方向と異なる方向に移動しようとする。また、キール部(7b)によりリップ部(7a)に沿って流れる水流が進行方向後方側に整流されるため、ジグヘッド(9)が水中で回転してしまうことを抑制することができる。これにより、ジグヘッド(9)は釣糸結束部(3)を支点として所定範囲で左右に揺れるような動きをすることとなり、軟質ルアー(6)に蛇行するような動きを与えることができる。
【特許文献１】特開２００３−１３４９６９号公報
【発明の開示】
【発明が解決しようとする課題】
【０００９】
しかしながら、錘部(2)をくるむように配設した頭部(7)にリップ部(7a)やキール部(7b)が設けられたジグヘッド(9)では、ジグヘッド(9)の大きさが相対的に大きくなる。このため、当該ジグヘッド(9)に軟質ルアー(6)を取着して仕掛けを完成させた際、疑似餌の頭部が不自然に大きくなり、魚に対して警戒心を与えるようになるという問題があった。
【００１０】
また、リップ部(7a)やキール部(7b)によって軟質ルアー(6)の周囲に不自然で且つ大きな水流が生じるようになる。このため、魚が軟質ルアー(6)を餌であると認識して近づいてきたとしても、軟質ルアー(6)に食いつく直前に、魚が違和感を覚え、食いつきが悪くなるという問題もあった。
【００１１】
それゆえに、本発明の主たる課題は、従来のジグヘッドとほとんど変わらない大きさであるにもかかわらず、何らの技量をも必要とせず、軟質ルアーに対して複雑な動きを与えることが可能なジグヘッドを提供することである。
【課題を解決するための手段】
【００１２】
請求項１に記載した発明は、「比重の大きな材料からなる錘部(12)と、錘部(12)上方に取り付けられた釣糸結束部(14)と、軸(16a)の先端が錘部(12)の後方に埋設された鈎部(16)とで構成されたジグヘッド(10)であって、錘部(12)の重心(G)が、釣糸結束部(14)の中心を通る鉛直線(P)と鈎部(16)における軸(16a)の軸心線(C)とを含む仮想平面から離間した位置に設けられると共に、仮想平面を介して重心(G)と反対側の錘部(12)の側部に、流体抵抗を増大させる受水部(18)が設けられている」ことを特徴とするジグヘッド(10)である。
【００１３】
この発明では、錘部(12)の重心(G)が釣糸結束部(14)の中心を通る鉛直線(P)と鈎部(16)における軸(16a)の軸心線(C)とを含む仮想平面から離間した位置に設けられているので、ジグヘッド(10)に対する引張応力が途切れた状態では、釣糸結束部(14)を支点として錘部(12)が回転し、仮想平面で錘部(12)を区分した際における重心(G)を含む部分が略下方に配置されるようになる。
【００１４】
一方、ジグヘッド(10)に引張応力を与えると、受水部(18)が増大した流体抵抗によって下方に向けて押圧されるようになる。このため、釣糸結束部(14)を支点として(上述の場合とは逆の方向に向けて)錘部(12)が回転し、仮想平面で錘部(12)を区分した際における受水部(18)が設けられた部分(すなわち重心(G)を含まない部分)が略下方に配置されるようになる。
【００１５】
したがって、ジグヘッド(10)に軟質ルアーを取り付けた疑似餌を「シェイキング」し、ジグヘッド(10)に対して断続的に引張応力を加えることによって、疑似餌が上下方向に揺動すると同時に、釣糸結束部(14)を支点として左右に揺動するようになる。つまり、疑似餌に対してより複雑な動きを与えることができる。
【発明の効果】
【００１６】
本発明によれば、ジグヘッドに対して断続的に引張応力を加えるだけで、ジグヘッドが上下方向に揺動するのと同時に、釣糸結束部を支点として左右に揺動するようになる。したがってリップ部やキール部などを取り付けてジグヘッドを不自然に大きくすることなく、また、何らの技量をも必要とせず、単に「シェイキング」を行うだけで疑似餌により複雑な動きを与え、釣りの対象となる魚に対して疑似餌に興味を持たせることができる。
【発明を実施するための最良の形態】
【００１７】
以下、本発明を図示実施例に従って詳述する。図１に示すこの発明の一実施例のジグヘッド(10)は、図示しない軟質ルアーを取り付けて疑似餌として使用するものであり、大略、錘部(12)と、前記錘部(12)上方に取り付けられた釣糸結束部(14)と、軸(16a)の先端が前記錘部(12)の後方に埋設された鈎部(16)とで構成されている。
【００１８】
錘部(12)は、ジグヘッド(10)に対して所定の重さを与える錘であり、比重が大きく且つ加工が容易な鉛合金などの材料を略球状に成形すると共に、図１に示すように、幅方向一方端部上辺の肉を段状に切落とし、重心(G)が錘部(12)の幅方向中央から幅方向他方端部に向けて偏心するようにしたものである(図３参照)。
【００１９】
この錘部(12)の幅方向一方端部上辺の肉を切落とした部分は、底面(12a)が後述する鈎部(16)の軸(16a)の軸心線(C)に対して所定の角度(θ)を有し、且つ前方(ジグヘッド(10)を仕掛けとして使用する際の進行方向(D)側)に向けて下り勾配となるように形成されており(図２参照)、ジグヘッド(10)に引張応力が作用した際、底面(12a)が水の抵抗(すなわち流体抵抗)を受け、この抵抗を増大させるようになっている。つまり、この底面(12a)が流体抵抗を増大させる受水部(18)として機能している。
【００２０】
さらに、この底面(12a)の中央部には略球面状に切り抜かれた凹溝(12b)が形成されており、これにより底面(12a)の受けた流体抵抗がこの凹溝(12b)内に集中し、更に増大するようになっている。
【００２１】
そして、錘部(12)の幅方向中央上部やや後方側には釣糸結束部(14)が取り付けられると共に、錘部(12)の幅方向中央後部、すなわちジグヘッド(10)の進行方向(D)を基準とした際の錘部(12)の後方には鈎部(16)の軸(16a)の先端が埋設されている(図２および図４参照)。
【００２２】
釣糸結束部(14)は、ジグヘッド(10)にライン(20)を結ぶための金属環であり、一般に「アイ」あるいは「アイレット」と称されるものである。
【００２３】
鈎部(16)は、図示しない軟質ルアーが取り付けられると共に、軟質ルアーに食いついた魚をフッキングして釣り上げるためのものであり、金属製の軸(16a)と、フック状に曲成されたフトコロ部(16b)とを有する。なお、フトコロ部(16b)にはその先端が鋭利に尖った鈎先(16c)が設けられており、この鈎先(16c)には必要に応じてフッキングした魚が鈎部(16)から容易に外れないように「かえし(16d)」が設けられている。そして、この鈎部(16)は鈎先(16c)が上方(すなわち釣糸結束部(14)の方)を向くようにして、軸部(16a)の先端が錘部(12)後方に埋設されている。
【００２４】
なお、釣糸結束部(14)および鈎部(16)はそれぞれ別体で構成するようにしてもよいし、一体的に構成するようにしてもよい。
【００２５】
以上のように構成されたジグヘッド(10)では、釣糸結束部(14)の中心を通る鉛直線(P)と鈎部(16)における軸(16a)の軸心線(C)とを含む仮想平面で錘部(12)を２つに区分した際、一方に重心(G)が配置されると共に、他方に受水部(18)が配置されるようになる。換言すると、錘部(12)の重心(G)が、釣糸結束部(14)の中心を通る鉛直線(P)と鈎部(16)における軸(16a)の軸心線(C)とを含む仮想平面から離間した位置に設けられると共に、仮想平面を介して重心(G)と反対側の錘部(12)の側部に流体抵抗を増大させる受水部(18)が設けられている(図１〜４参照)。
【００２６】
次に、本実施例のジグヘッド(10)の作用について説明する。まず、釣竿(図示せず)に取り付けた、あるいは釣竿に取着したリール(図示せず)から引き延ばしたライン(20)の先端を釣糸結束部(14)に結束し、鈎部(16)に軟質ルアー(図示せず)を取り付け、疑似餌の仕掛けを作る。
【００２７】
そして、これをキャストして所定のポイントに投入した後、「シェイキング」を行ない疑似餌に動きを与える。すると、ジグヘッド(10)に対する引張応力が途切れた状態、つまりジグヘッド(10)に取り付けたライン(20)の張力が緩んだ状態では、ライン(20)が伸張するまで疑似餌が水中を沈んでいくと共に、図５(a)に示すように、釣糸結束部(14)を支点として錘部(12)が回転し、釣糸結束部(14)の中心を通る鉛直線(P)と鈎部(16)の軸(16a)の軸心線(C)とを含む仮想平面(図１参照)で錘部(12)を区分した際における重心(G)を含む部分が略下方に配置されるようになる。
【００２８】
一方、ジグヘッド(10)に引張応力を与えると、疑似餌が引張応力のかけられた方向(すなわち進行方向(D))にむけてやや浮上しながら移動すると共に、図５(b)に示すように、受水部(18)が増大した流体抵抗によって下方に向けて押圧されるようになり、釣糸結束部(14)を支点として(上述の場合とは逆の方向に向けて)錘部(12)が回転し、前記仮想平面で錘部(12)を区分した際における受水部(18)が設けられた部分(すなわち重心(G)を含まない部分)が略下方に配置されるようになる。
【００２９】
したがって、ジグヘッド(10)に軟質ルアーを取り付けた疑似餌を「シェイキング」してジグヘッド(10)に対して断続的に引張応力を加えることによって、疑似餌が上下方向に揺動すると同時に、釣糸結束部(14)を支点として左右に揺動するようになる。つまり、疑似餌に対してより複雑な動きを与えることができる。
【００３０】
このように本実施例のジグヘッド(10)によれば、ジグヘッド(10)に対して断続的に引張応力を加えるだけで、ジグヘッド(10)が上下方向に揺動するのと同時に、釣糸結束部(14)を支点として左右に揺動する。したがってリップ部やキール部などを取り付けてジグヘッドを不自然に大きくすることなく(つまり従来のジグヘッドと略同等の大きさで)、また、何らの技量をも必要とせず、単に「シェイキング」を行うだけで疑似餌により複雑な動きを与え、釣りの対象となる魚に対して疑似餌に興味を持たせることができる。
【００３１】
なお、上述の実施例では、図１に示すように、錘部(12)の幅方向一方端部上方の肉を段状に切落とし、重心(G)を錘部(12)の幅方向中央から幅方向他方端部に向けて偏心させると共に、段状に切落とした部分の底面(12a)を受水部(18)とする例を示したが、図６に示すように、錘部(12)の肉を切落とすことなく、錘部の重心(G)から幅方向に移動した位置の上部に釣糸結束部(14)を取り付け、ここから垂直に下りた錘部(12)の後方に鈎部(16)の軸(16a)を埋設すると共に、釣糸結束部(14)の中心を通る鉛直線(P)と鈎部(16)における軸(16a)の軸心線(C)とを含む仮想平面を介して重心(G)と反対側の錘部(12)の側部に、別部材で構成された受水部(18)を取り付けるようにしてもよい。
【００３２】
つまり、錘部(12)の重心(G)が、釣糸結束部(14)の中心を通る鉛直線(P)と鈎部(16)における軸(16a)の軸心線(C)とを含む仮想平面から離間した位置に設けられると共に、仮想平面を介して重心(G)と反対側の錘部(12)の側部に(錘部(12)が受ける)流体抵抗を増大させる受水部(18)が設けられるものであれば、その形状は如何なるものであってもよい。
【００３３】
また、鈎部(16)について、鈎先(16c)が上方(すなわち釣糸結束部(14)の方)を向くようにして錘部(12)に取着する場合を示したが、鈎先(16c)が下方を向くようにしてもよい。
【図面の簡単な説明】
【００３４】
【図１】本発明の一実施例のジグヘッドを示す斜視図である。
【図２】図１におけるI−I線断面図である。
【図３】図１におけるII−II線断面図である。
【図４】本発明の一実施例のジグヘッドを示す上面図である。
【図５】本発明における一実施例のジグヘッドの作用を示す説明図である。
【図６】本発明の他の実施例のジグヘッドを示す斜視図である。
【図７】従来のジグヘッドを示す側面図である。
【図８】従来のジグヘッド(水中での複雑な動きが可能なもの)を示す側面図である。
【符号の説明】
【００３５】
(10)…ジグヘッド
(12)…錘部
(12a)…底面
(12b)…凹溝
(14)…釣糸結束部
(16)…鈎部
(16a)…軸
(16b)…フトコロ部
(18)…受水部
(20)…ライン
(G)…重心
(P)…釣糸結束部の中心を通る鉛直線
(C)…鈎部における軸の軸心線
【図１】
2006067885.tif 000003
【図２】
2006067885.tif 000004
【図３】
2006067885.tif 000005
【図４】
2006067885.tif 000006
【図５】
2006067885.tif 000007
【図６】
2006067885.tif 000008
【図７】
2006067885.tif 000009
【図８】
2006067885.tif 000010